(57)【特許請求の範囲】
【請求項１】
複数の独立したデータベース間で登録データを転送するためのデータ転送方法であって、
転送を行う端末のデータベースから選択されて転送された１以上の登録データをバッファに一時保存し、該バッファに保存された前記１以上の登録データを、一時的な利用または受信端末のデータベースへ登録するものであり、
前記データベースを電話帳データとし、前記バッファが着信履歴を保存する着信履歴バッファで代替する
ことを特徴とするデータ転送方法。
【請求項２】
前記着信履歴バッファが、前記転送を行う端末のデータベースから選択されて転送された１以上の登録データまたは前記着信履歴を保存するときに、履歴情報種別を付加して保存し、
着信履歴バッファに保存されている登録データまたは前記着信履歴の履歴情報表示の際に前記履歴情報種別も表示する
ことを特徴とする請求項１記載のデータ転送方法。
【請求項３】
前記履歴情報表示の際に、着信によって得られた電話番号情報の履歴と、他の端末の電話帳データベースから転送されて得られた電話番号情報の履歴とを区別して表示する
ことを特徴とする請求項２に記載のデータ転送方法。
【請求項４】
複数の独立したデータベース間で登録データを転送するためのデータ転送装置であって、
転送を行う端末のデータベースから選択されて転送された１以上の登録データをバッファに一時保存し、該バッファに保存された前記１以上の登録データを、一時的な利用または受信端末のデータベースへの登録を行い、
前記データベースを電話帳データとし、前記バッファを着信履歴を保存する着信履歴バッファで代替する
ことを特徴とするデータ転送装置。
【請求項５】
前記着信履歴バッファが、前記転送を行う端末のデータベースから選択されて転送された１以上の登録データまたは前記着信履歴を着信履歴バッファに保存するときに、履歴情報種別を付加して保存する登録手段と、
着信履歴バッファに保存されている登録データまたは前記着信履歴の履歴情報表示の際に前記履歴情報種別も表示する表示手段とを
有することを特徴とする請求項４記載のデータ転送装置。
【請求項６】
前記履歴情報表示の際に、着信によって得られた電話番号情報の履歴と、他の端末の電話帳データベースから転送されて得られた電話番号情報の履歴とを区別して表示する
ことを特徴とする請求項５に記載のデータ転送装置。
【発明の詳細な説明】
【０００１】
【発明の属する技術分野】
本発明は、複数の独立したデータベース間で登録データを転送する、例えば、電話帳データをデータベースとして保持する電話端末に用いて好適な、データ転送方法ならびに装置に関する。
【０００２】
【従来の技術】
電話の性能向上は目覚しく、ビジネスホンの分野では、１回線に複数の多機能電話端末を接続することができ、従来のＰＢＸ機能に加えて、ＶｏＩＰ／ＦｏＩＰ（Voice  over  Internet  Protocol／Fax  over  Internet  Protocol）機能等のネットワーク環境も構築可能になった。従来からある電話帳機能、着信履歴機能は勿論内蔵され、より充実している。
【０００３】
【発明が解決しようとする課題】
ところで、上記した電話帳機能において、ある電話端末に登録された個人電話帳データを他の電話端末に転送する場合、直接目的とする電話帳に登録されるため、転送を受けた電話端末では、どのデータが転送されたのかわかりにくいといった欠点を有していた。また、一時的に利用するだけのデータもその電話帳に登録されてしまうため、個人電話帳に登録するデータの管理ポリシーが異なるユーザ間では不都合が生じる。
一方、上記した着信履歴機能においても、外部からの着信に応答できたか否かを表示するものはあっても、ユーザは、他の電話端末で応答した場合と自身が応答した場合とを区別することができないといった欠点を有していた。
【０００４】
本発明は上記事情に鑑みてなされたものであり、登録データを転送するときにそのデータを直接目的とするデータベースに転送することなく、一時バッファを介しユーザの登録操作を待ってから登録することにより、例えば、電話端末間で電話帳データを相互に送受信可能とし、受信端末側のデータベースを安易に書き換えず、転送されたデータをわかりやすく管理することとが可能なデータ転送方法ならびに装置を提供することを目的とする。
また、着信履歴においても、着信履歴を保存するときに主装置から送信される履歴情報種別を付加して保存し、また、着信履歴を表示するときに保存された履歴情報種別も合わせて表示することにより、例えば、「自端末応答」、「他端末応答」、「未応答」等を識別可能な、データ転送方法を提供することも目的とする。
【０００７】
【課題を解決するための手段】
上記した課題を解決するために本発明は、複数の独立したデータベース間で登録データを転送するためのデータ転送方法であって、転送を行う端末のデータベースから選択されて転送された１以上の登録データをバッファに一時保存し、該バッファに保存された前記１以上の登録データを、一時的な利用または受信端末のデータベースへ登録するものであり、前記データベースを電話帳データとし、前記バッファが着信履歴を保存する着信履歴バッファで代替することを特徴とする。
本発明は、前記着信履歴バッファが、前記転送を行う端末のデータベースから選択されて転送された１以上の登録データまたは前記着信履歴を保存するときに、履歴情報種別を付加して保存し、着信履歴バッファに保存されている登録データまたは前記着信履歴の履歴情報表示の際に前記履歴情報種別も表示することを特徴とする。
本発明は、前記履歴情報表示の際に、着信によって得られた電話番号情報の履歴と、他の端末の電話帳データベースから転送されて得られた電話番号情報の履歴とを区別して表示することを特徴とする。
【０００８】
本発明によれば、登録データを転送するときにそのデータを直接目的とするデータベースに転送することなく、一時バッファを介しユーザの登録操作を待って登録することにより、例えば、電話端末間で電話帳データを相互に送受信可能とし、受信端末側のデータベースを安易に書き換えず、転送されたデータをわかりやすく管理することとが可能となる。
また、一時的に利用したいだけのデータは登録操作を必要とせずに利用が可能となり、転送されたデータを登録時に利用者の管理ポリシーに基づき容易に修正が可能となる。更に、転送されたデータを着信履歴用のバッファを含む一時バッファに保存するときに、アイコン表示等により属性を明示することによりユーザが履歴情報と区別することが可能となり、ユーザに利便性を提供することができる。
【００１０】
上記した課題を解決するために本発明は、複数の独立したデータベース間で登録データを転送するためのデータ転送装置であって、転送を行う端末のデータベースから選択されて転送された１以上の登録データをバッファに一時保存し、該バッファに保存された前記１以上の登録データを、一時的な利用または受信端末のデータベースへの登録を行い、
前記データベースを電話帳データとし、前記バッファを着信履歴を保存する着信履歴バッファで代替することを特徴とする。
【００１１】
また、本発明は、前記着信履歴バッファが、前記転送を行う端末のデータベースから選択されて転送された１以上の登録データまたは前記着信履歴を着信履歴バッファに保存するときに、履歴情報種別を付加して保存する登録手段と、着信履歴バッファに保存されている登録データまたは前記着信履歴の履歴情報表示の際に前記履歴情報種別も表示する表示手段とを有することを特徴とする。
また、本発明は、前記履歴情報表示の際に、着信によって得られた電話番号情報の履歴と、他の端末の電話帳データベースから転送されて得られた電話番号情報の履歴とを区別して表示することを特徴とする。
【００１２】
本発明によれば、着信履歴を保存するときに主装置から送信される履歴情報種別を付加して保存し、また、着信履歴を表示するときに保存された履歴情報種別も合わせて表示することにより、例えば、「自端末応答」、「他端末応答」、「未応答」「留守応答」等の識別を可能とし、ユーザに利便性を与えることができる。
【００１３】
【発明の実施の形態】
図１は、本発明の一実施形態を示すブロック図である。ここでは電話端末としてボタン電話が例示されており、図示せぬ電話回線に接続された主装置１があって、主装置１に、それぞれが個人電話帳データベース（ＤＢ）を内蔵したボタン電話２、３が接続されている。従って、ここでは、複数の電話端末２、３がそれぞれ独立して持つ個人電話帳データベース間のデータ転送への適用例を示す。
【００１４】
図２に、ボタン電話の内部構成をブロックで示し、図３に、全体の動作をフローチャートで示した。
図２は、ボタン電話２（３）の内部構成のうち、本発明と関係するブロックのみ抽出して示した図である。以下で説明する図２において、（）内の符号はボタン電話３の内部構成の構成要素を示している。（）の外は、ボタン電話２の構成要素の符号を示している。
ボタン電話２（３）は、個人電話帳ＤＢ２１（３１）と、着信履歴バッファ２２（３２）と、通信インタフェース部２３（３３）と、入出力インタフェース部２４（３４）で構成される。
通信インタフェース部２３（３３）は、発着信時における主装置１との接続インタフェースを司り、入出力インタフェース部２４（３４）は、登録操作、あるいは発信操作を行うボタン電話２（３）のキースイッチと履歴情報表示を行う表示器とのインタフェースを司る。
【００１５】
着信履歴バッファ２２（３２）は、転送される１以上の登録データを一時保存する機能を持ち、個人電話帳ＤＢ２１（３１）は、着信履歴バッファ２２（３２）に一時保存された１以上の個人電話帳データを、入出力インタフェース部２４（３４）を介して行われるユーザの登録操作によって登録する機能を持つ。
【００１６】
以下、図１、図２に示す本発明実施形態の動作を図３に示すフローチャートを参照しながら説明する。
まず、例えば、ボタン電話２で内蔵の個人電話帳ＤＢ２１から電話帳データを１件選択し、入出力インタフェース部２４を介して適当なキースイッチを操作することにより電話帳転送操作を行う（Ｓ３１、Ｓ３２）。
この電話帳転送操作は主装置１に伝わり、主装置１を介してその電話帳データが、ボタン電話３が内蔵する着信履歴バッファ３２、あるいは専用の一時バッファに着信履歴として保存される（Ｓ３３）。ここで転送されるデータは、名称、読み仮名、電話番号、グループ番号、種別、メールアドレス、メモ等から成るものとする。なお、電話番号とメールアドレスは複数転送可とする。
【００１７】
ボタン電話３は、着信履歴として転送された電話帳データを使用して発信及び自身の個人電話帳ＤＢ３１への登録が可能である。
このとき、ボタン電話３では、転送されたデータを一時的に使用したいだけの場合には、自身の個人電話帳ＤＢ３１に登録することなく、直接その着信履歴（着信履歴バッファ３２）から発信操作を行うことにより、発信を行うことができる（Ｓ３４、Ｓ３５）。また、個人電話帳ＤＢ３１への登録時には、入出力インタフェース部３４を介してユーザの登録操作を得た後（Ｓ３６）、自身の電話帳グループ等の属性を登録する電話帳に合わせて修正することが可能である。このことにより、電話帳ＤＢ３１への登録が行われる（Ｓ３７）。
【００１８】
次に、外線から着信があり、ボタン電話２、３が鳴動し、ボタン電話２で応答した場合の動作につき、図４に示すフローチャートを参照しながら説明する。
上記した着信に対しボタン電話２が応答した場合、主装置１は、ボタン電話２に対して「自端末応答」を表す履歴情報種別で、ボタン電話３に対して「他端末応答」を表す履歴情報種別でその履歴情報を送出する。
この履歴情報をそれぞれ受信（Ｓ４３、Ｓ４４）したボタン電話２、３は、それぞれ着信履歴に、「自端末応答」、「他端末応答」の履歴情報種別で履歴情報を保存し（Ｓ４７）、履歴情報表示の際には、ユーザに対しその履歴情報種別をアイコンで提示する（Ｓ４８、Ｓ４９）。
【００１９】
ボタン電話２、３が応答する前に相手呼放棄によって着信が終了した場合、主装置１は、ボタン電話２、３に「未応答着信」を表す履歴情報種別で履歴情報を送信する。
この情報を受信（Ｓ４５）したボタン電話２、３は、それぞれ着信履歴バッファに当該着信呼に関する未応答着信履歴を保存し（Ｓ４７）、履歴情報表示の際はユーザに履歴情報種別をアイコンで提示する（Ｓ４８、Ｓ４９）。
【００２０】
なお、他の端末からの電話帳データ転送を受けた場合、ボタン電話２、３は、「電話帳データ転送」を表す履歴情報種別でそれぞれの着信履歴バッファにその履歴情報を保存し（Ｓ４６）、履歴情報表示の際には、アイコンによりユーザに転送された電話帳データであることを通知する（Ｓ４８、Ｓ４９）。
アイコン表示の具体例は、図５に示されている。図５に示されるように、着信履歴のそれぞれに対応して、「電話帳転送」、「自端末応答」、「他端末応答」、「相手呼放棄」の各アイコンが表示される。なお、ここには示されていないが、留守番電話が応答したときには「留守応答」の履歴種別情報が考えられ、このためのアイコン表示も用意される。
【００２１】
以上説明のように本発明は、登録データを転送するときにそのデータを直接目的とするデータベースに転送することなく、一時バッファ（着信履歴バッファ２２、３２）を介しユーザの登録操作を待って登録することにより、電話端末２、３間で電話帳データを相互に送受信可能とし、受信電話端末側のデータベースを安易に書き換えず、転送されたデータをわかりやすく管理することを可能とするものである。
また、着信履歴においても、着信履歴を保存するときに主装置１から送信される履歴情報種別を付加して保存し、また、着信履歴を表示するときに保存された履歴情報種別も合わせて表示することにより、例えば、「自端末応答」、「他端末応答」、「未応答」、「留守応答」等の履歴情報種別を識別可能とし、ユーザに利便性を提供するものである。
【００２２】
なお、上記した本発明実施形態によれば、電話回線に主装置１を介して複数の電話端末２、３が接続される電話システムのみ例示したが、この電話システムの形態に制限されるものではなく、個人電話帳ＤＢを持つ一般の電話端末間のデータ転送はもとより、電話端末の他に、それぞれ独立したデータベースを持つデータ機器全般に応用が可能である。
また、一時バッファとして着信履歴用のバッファを用いることも必須でなく、専用の転送用バッファを付加して使用してもよい。更に、電話帳ＤＢは、電話端末ローカルに持つ方式とせず、主装置１内部に設けたＤＢで保持し、管理しても構わない。また、電話帳データを転送する対象は、同一システムに収容された電話端末間であることも必須でなく、通信が可能な独立した電話端末間であればよい。
【００２３】
【発明の効果】
以上説明のように本発明によれば、登録データを転送するときにそのデータを直接目的とするデータベースに転送することなく、一時バッファを介しユーザの登録操作を待って登録することにより、例えば、電話端末間で電話帳データを相互に送受信可能とし、受信端末側のデータベースを安易に書き換えず、転送されたデータをわかりやすく管理することとが可能となる。
また、一時的に利用したいだけのデータは登録操作を必要とせずに利用が可能となり、転送されたデータを登録時に利用者の管理ポリシーに基づき容易に修正が可能となる。更に、転送されたデータを着信履歴用のバッファを含む一時バッファに保存するときに、アイコン表示等により属性を明示することによりユーザが履歴情報と区別することが可能となり、ユーザに利便性を提供することができる。
【００２４】
また、着信履歴を保存するときに主装置から送信される履歴情報種別を付加して保存し、また、着信履歴を表示するときに保存された履歴情報種別も合わせて表示することにより、例えば、「自端末応答」、「他端末応答」、「未応答」、「留守応答」等の識別を可能とし、ユーザに利便性を与える電話システムを提供することができる。
【図面の簡単な説明】
【図１】  本発明の一実施形態を示すブロック図である。
【図２】  図１におけるボタン電話の内部構成を示すブロック図である。
【図３】  本発明における一実施形態の動作を説明するために引用した全体の動作フローチャートである。
【図４】  本発明における他の実施形態の動作を説明するために引用した図であり、ボタン電話の動作フローチャートである。
【図５】  着信履歴画面の一例を示す図である。
【符号の説明】
１主装置、  ２,３  ボタン電話、  ２１（３１）個人電話帳ＤＢ、  ２２（３２）着信履歴バッファ、  ２３（３３）通信インタフェース部、  ２４（３４）入出力インタフェース部
【図１】
0003828021.tif 000002
【図２】
0003828021.tif 000003
【図３】
0003828021.tif 000004
【図４】
0003828021.tif 000005
【図５】
0003828021.tif 000006